(57)【要約】【課題】  表示装置１６に表示した画面構成と同じ画面構成の画面の再表示を容易に行えオペレータの負荷軽減を図ることができるプラント監視装置を提供することである。【解決手段】  画面要求情報記録手段１７は、表示装置１６に複数の画面が表示されているときにオペレータから画面記録要求を受けたとき、その表示状態を保存するための画面要求情報を作成し画面要求情報テーブル１８に保存する。画面要求表示手段１９は、オペレータから保存した画面要求情報の画面の表示要求があったとき、画面要求情報テーブル１８から保存した画面要求情報を検索しオペレータ入出力処理手段１４へその表示状態の画面の表示要求を行う。【選択図】  図１
2005259021.tif 000002
【特許請求の範囲】
【請求項１】
プラント情報のプロセス信号を計算機内部で記録可能なプロセス状態信号に変換するデータ記録手段と、前記データ記録手段で変換したプロセス状態信号を表示用データとして保存する表示データテーブルと、表示する画面毎の画面データを保存した画面情報テーブルと、オペレータからの要求を計算機へ通知する入力装置と、前記入力装置から入力された要求に応じて前記画面情報テーブルに記憶された画面データと前記表示データテーブルの表示用データとを結びつけ画面表示用データを出力するオペレータ入出力処理手段と、前記画面表示用データを表示する表示装置と、前記表示装置に複数の画面が表示されているときにオペレータから画面記録要求を受けたときその表示状態を保存するための画面要求情報を作成する画面要求情報記録手段と、前記画面要求情報記録手段で作成した画面要求情報を保存する画面要求情報テーブルと、オペレータから画面記録要求にて保存した画面の表示要求があったとき前記画面要求情報テーブルから保存した画面要求情報を検索し前記オペレータ入出力処理手段へその表示状態の画面の表示要求を行う画面要求表示手段とを備えたことを特徴とするプラント監視装置。
【請求項２】
オペレータからの初期設定画面の設定要求により装置立ち上げ時に表示するデフォルト表示設定の初期設定画面要求情報を前記画面要求情報テーブルに記録する初期設定画面要求情報記録手段と、装置立ち上げ時に前記画面要求情報テーブルに記録したデフォルト表示設定を表示要求する初期設定画面要求表示手段とを備えたことを特徴とする請求項１記載のプラント監視装置。
【請求項３】
請求項２記載の複数のプラント監視装置と、オペレータの要求により複数のプラント監視装置毎の画面要求情報テーブルにそれぞれ保存された画面要求情報を取り出しひとつにまとめてシステム画面要求情報としてシステム画面要求情報テーブルに保存するシステム画面要求情報記録手段と、オペレータの要求により前記システム画面要求情報テーブルに保存されているシステム画面要求情報を取り出し該当する前記プラント監視装置の画面要求表示手段に対して必要な表示画面レイアウトを再現するように表示要求をかけるシステム画面表示要求手段とを備えたことを特徴とするプラント監視システム。
【請求項４】
複数のプラント監視装置の各々の画面要求情報テーブルに保存されている画面要求情報を相互に複写する画面要求情報複写手段を設けたことを特徴とする請求項３記載のプラント監視システム。
【請求項５】
前記システム画面表示要求手段に対しあらかじめ定義したプラント状態になったとき自動で表示要求を行わせるためのイベントを通知するイベント通知手段と、イベントとなるプラント状態を定義したイベントデータテーブルとを備えたことを特徴とする請求項４記載のプラント監視システム。
【請求項６】
オペレータに対してイベントによる表示要求の自動割込みの発生を報知する自動割込発生通知手段を設け、前記システム画面表示要求手段は、前記イベント通知手段からイベントの通知を受けたときは、複数のプラント監視装置の各々の画面要求表示手段に画面レイアウト変更を通知するとともに前記自動割込発生通知手段にイベントによる表示要求の自動割込みの発生を通知することを特徴とする請求項５記載のプラント監視システム。
【請求項７】
イベント発生による表示要求の自動割込みにて強制的に決められた画面レイアウトに変わる際に、それまでそのプラント監視装置の表示装置に表示されていたレイアウトを自動的に画面登録する指令を前記プラント監視装置の画面要求情報記録手段へ出力する自動退避指令手段を設け、前記プラント監視装置の画面要求情報記録手段は、前記自動退避指令手段から自動退避指令を入力したときは自動退避画面要求情報を前記プラント監視装置の画面要求情報テーブルに保存し、前記プラント監視装置の画面表示要求手段は、オペレータの要求があったときは自動退避画面要求情報を読込みイベント発生による自動割込み前の画面レイアウトを再現することを特徴とする請求項６記載のプラント監視システム。
【発明の詳細な説明】
【技術分野】
【０００１】
本発明はプラントのプロセス量を入力しプラント監視画面を表示するプラント監視装置及びプラント監視システムに関する。
【背景技術】
【０００２】
近年のプラント監視においては、各種プラント情報を画面に表示して監視するためひとつの画面に複数のウィンドウを表示して監視するようになってきている。図１５は、そのような複数のウィンドウを表示してプラント監視を行う従来のプラント監視装置の構成図である。
【０００３】
プラント情報はデータ記録手段１１を通して表示データテーブル１２に保存される。オペレータより表示画面Ａ１の表示要求が入力装置１３より入力された場合、オペレータ入出力処理手段１４に通知され、オペレータ入出力処理手段１４では、表示画面Ａ１の表示データを画面情報テーブル１５から抽出すると同時に表示データテーブル１２よりプラント情報も抽出し、これら取得したデータを元に表示画面Ａ１用データを作成し、表示装置１６に出力する。オペレータより表示画面Ａ２や表示画面Ａ３の表示要求が通知された場合も、同様な処理手順にて表示画面Ａ２、Ａ３用のデータを表示装置１６に出力し複数のウィンドウ表示を行う。
【０００４】
複数のウィンドウ表示を行うものとしては、マルチ画面のレイアウトの決定後、このレイアウトをマルチ画面レイアウト情報ファイルに記憶するとともに、このマルチ画面を呼び出すキーとなる画面を同時に記憶し、マルチ画面を呼び出すときに、呼び出す前に全画面に表示されていた画面をキーとして、先に記憶しておいたレイアウトに基づいてマルチ画面を即座に表示できるようにしたものがある（例えば、特許文献１参照）。また、複数の画面を表示する表示要求をファンクションキーに対応づけて記憶しておき、ファンクションキーが操作されたとき表示装置の所定の表示位置に表示するようにしたものがある（例えば、特許文献２参照）。
【特許文献１】特開平５−２３８２号公報（図１）
【特許文献１】特開平３−３６６８９号公報（第２図）
【発明の開示】
【発明が解決しようとする課題】
【０００５】
しかし、従来のものはマルチウィンドウを表示する際にレイアウトを予め作成し保存し、これを再表示するものであることから、レイアウトが予め作成されていない場合には、複数回の表示操作を行い複数の画面を表示することになる。
【０００６】
すなわち、プラント監視を行うプラント監視装置の表示装置に対し、複数の画面を同時に表示し、その表示を再現する際には予めレイアウトが記憶されていない場合には、再度同じ複数の画面を表示し直さなければならない。このように、複数の画面を表示した後に再度同じ複数の画面を表示しようとした場合、再度複数回の表示操作を行う必要があった。
【０００７】
本発明の目的は、表示装置に表示した画面構成と同じ画面構成の画面の再表示を容易に行えオペレータの負荷軽減を図ることができるプラント監視装置及びプラント監視システムを提供することである。
【課題を解決するための手段】
【０００８】
本発明のプラント監視装置は、プラント情報のプロセス信号を計算機内部で記録可能なプロセス状態信号に変換するデータ記録手段と、データ記録手段で変換したプロセス状態信号を表示用データとして保存する表示データテーブルと、表示する画面毎の画面データを保存した画面情報テーブルと、オペレータからの要求を計算機へ通知する入力装置と、入力装置から入力された要求に応じて画面情報テーブルに記憶された画面データと表示データテーブルの表示用データとを結びつけ画面表示用データを出力するオペレータ入出力処理手段と、画面表示用データを表示する表示装置と、表示装置に複数の画面が表示されているときにオペレータから画面記録要求を受けたときその表示状態を保存するための画面要求情報を作成する画面要求情報記録手段と、画面要求情報記録手段で作成した画面要求情報を保存する画面要求情報テーブルと、オペレータから画面記録要求にて保存した画面の表示要求があったとき画面要求情報テーブルから保存した画面要求情報を検索しオペレータ入出力処理手段へその表示状態の画面の表示要求を行う画面要求表示手段と、オペレータからの初期設定画面の設定要求により装置立ち上げ時に表示するデフォルト表示設定の画面要求情報を画面要求情報テーブルに記録する初期設定画面要求情報記録手段と、装置立ち上げ時に画面要求情報テーブルに記録したデフォルト表示設定を表示要求する初期設定画面要求表示手段とを備えたことを特徴とする。
【０００９】
本発明のプラント監視システムは、複数の本発明のプラント監視装置と、オペレータの要求により複数のプラント監視装置毎の画面要求情報テーブルにそれぞれ保存された画面要求情報を取り出しひとつにまとめてシステム画面要求情報としてシステム画面要求情報テーブルに保存するシステム画面要求情報記録手段と、オペレータの要求によりシステム画面要求情報テーブルに保存されているシステム画面要求情報を取り出し該当するプラント監視装置の画面要求表示手段に対して必要な表示画面レイアウトを再現するように表示要求をかけるシステム画面表示要求手段とを備えたことを特徴とする。
【発明の効果】
【００１０】
本発明のプラント監視装置によれば、複数ウィンドウを表示した状態を記録し再現することができるので、オペレータが表示した画面を記憶する必要がなく再表示する際の操作回数の削減も可能となり、オペレータの負荷軽減と操作性が向上される。
【００１１】
本発明のプラント監視システムによれば、複数のプラント監視装置の各々の表示装置にて複数の機能を呼び出す際に、ひとつひとつの機能を表示要求することなくまとめて表示させることができるので、操作回数の削減も可能となりオペレータの負荷軽減と操作性が向上される。
【発明を実施するための最良の形態】
【００１２】
図１は本発明の第１の実施の形態に係わるプラント監視装置１０の構成図である。この第１の実施の形態は、図１５に示した従来例に対し、画面要求情報記録手段１７と、画面要求情報テーブル１８と、画面要求表示手段１９とを追加して設けたものである。図１５と同一要素には同一符号を付し重複する説明は省略する。
【００１３】
画面要求情報記録手段１７は、表示装置に複数の画面が表示されているときに、入力装置１３によりオペレータから画面記録要求を受けたとき、表示装置１６に表示されている複数の画面の表示状態を保存するための画面要求情報を作成するものである。この画面要求情報記録手段１７で作成された画面要求情報は画面要求情報テーブル１８に保存される。そして、入力装置１３によりオペレータから画面記録要求にて保存した画面の表示要求があったときは、画面要求表示手段１９は、画面要求情報テーブル１８から保存した画面要求情報を検索し、オペレータ入出力処理手段１４へその表示状態の画面の表示要求を行う。これにより、表示装置１６に表示中の複数の画面が容易に再表示可能となる。
【００１４】
すなわち、データ記録手段１１ではプラント情報のプロセス信号ａを入力し、計算機内部で記録可能なプロセス状態信号ｂに変換し、表示データテーブル１２に変換されたプロセス状態信号ｂを保存する。オペレータが入力装置１３より表示画面Ａ１を表示要求した場合、入力装置１３はオペレータ入出力処理手段１４へ表示画面Ａ１〜Ａ３の表示要求を通知し、オペレータ入出力処理手段１４では表示画面Ａ１〜Ａ３の表示データを画面情報テーブル１５より抽出すると共に表示データテーブル１２よりプロセス状態信号ｂを抽出し画面表示用データｃを作成し、表示装置１６へ出力する。表示装置１６では、オペレータ入出力処理手段１４より出力される画面表示用データｃを元にプラント監視画面を表示する。
【００１５】
そして、入力装置１３よりオペレータから画面記録要求ｄがあった場合、画面要求情報記録手段１７はオペレータ入出力処理手段１４から画面記録要求ｄが通知された時点での画面要求情報ｅを作成し、画面要求情報テーブル１８にこれを保存する。
【００１６】
図２は、画面要求情報テーブル１８の一例を示す説明図である。画面要求情報テーブル１８では画面記録要求ｄが通知された時点の表示装置１６に表示されている画面種別と画面表示位置情報とを保存する。例えば、画面記録要求時に表示されている画面として、表示画面Ａ１〜Ａ３がある場合、これら表示画面Ａ１〜Ａ３の各々の画面種別（表示画面Ａ１〜Ａ３）と画面表示位置情報Ｐ１〜Ｐ３を画面要求情報ｅ（画面要求情報番号Ａ−１）として保存する。以下、同様に別の画面要求情報ｅが入力された場合には、画面要求情報番号Ａ−２〜Ａ−ｎとして順次保存する。
【００１７】
オペレータより記録した画面（画面要求情報番号Ａ−１）の表示要求があった場合には、画面要求表示手段１９にて画面要求情報ｅ（＝画面要求情報番号Ａ−１）をキーに画面要求情報テーブル１８を検索し、検索結果（表示画面Ａ１〜３、画面表示位置情報Ｐ１〜Ｐ３）をオペレータ入出力処理手段１４に渡す。そして、オペレータ入出力処理手段１４では表示データテーブル１２と画面情報テーブル１５の各データより表示画面Ａ１〜Ａ３の画面表示用データｃを作成し、表示装置１６に表示する。これにより、過去に記録した複数枚の画面の再表示が可能となる。
【００１８】
第１の実施の形態によれば、複数の画面を表示した状態を記録し再現することができるので、オペレータが表示した画面を記憶する必要がなく再表示する際の操作回数の削減も可能となり、オペレータの負荷軽減と操作性が向上される。
【００１９】
次に、本発明の第２の実施の形態を説明する。図３は本発明の第２の実施の形態に係わるプラント監視装置１０の構成図である。この第２の実施の形態は、図１に示した第１の実施の形態に対し、初期設定画面要求情報記録手段２０と初期設定画面要求表示手段２１とを追加して設けるとともに、画面要求情報テーブル１８に初期設定画面要求情報記録手段２０で作成された初期設定画面要求情報を保存するようにしている。図１と同一要素には同一符号を付し重複する説明は省略する。
【００２０】
初期設定画面要求情報記録手段２０は、入力装置１３よりオペレータからの初期設定画面の設定要求により装置立ち上げ時に表示するデフォルト表示設定の初期設定画面要求情報ｅ１を画面要求情報テーブル１８に記録する。そして、初期設定画面要求表示手段２１は、装置立ち上げ時に画面要求情報テーブル１８に記録したデフォルト表示設定をオペレータ入出力処理手段１４に表示要求する。これにより、オペレータ入出力処理手段１４は初期設定画面を表示装置１６に表示する。
【００２１】
このように、初期設定画面要求情報記録手段２０はデフォルト表示設定として任意の画面レイアウトを登録でき、初期設定画面要求情報記録手段２０に作成された初期設定画面要求情報ｅ１は画面要求情報テーブル１８に保存される。初期設定画面要求表示手段２１、装置立ち上げ時に初期設定画面要求情報ｅ１を参照し表示装置１６に初期設定画面を表示する。
【００２２】
すなわち、初期設定画面要求情報記録手段２０は、オペレータの入力装置１３からの入力により装置立ち上げの際の初期レイアウトとして画面種別と画面表示位置情報とを初期設定画面要求情報ｅ１として画面要求情報テーブル１８に保存する。
【００２３】
図４は、初期設定画面要求情報記録手段２０にて画面要求情報テーブル１８に保存される初期設定画面要求情報テーブルの一例を示す説明図である。
【００２４】
初期登録した画面が表示画面Ａ１’、表示画面Ａ２’、表示画面Ａ３’の場合これらの画面種別（Ａ１’〜Ａ３’）と各々の画面表示位置情報（Ｐ１’〜Ｐ３’）を画面要求情報テーブル１８に初期設定画面要求情報番号（Ａ−０）として保存する。
【００２５】
そして、プラント監視装置１０の起動の際に、初期設定画面要求表示手段２１は画面要求情報テーブル１８の初期設定画面要求情報テーブルを参照し、オペレータ入出力処理手段１４に表示画面種別（表示画面Ａ１’〜Ａ３’）と画面表示位置情報（Ｐ１’〜Ｐ３’）を渡す。オペレータ入出力処理手段１４では表示画面Ａ１’〜Ａ３’毎に表示データテーブル１２のデータと画面情報テーブル１５のデータより画面表示用データｃを作成し表示装置１６に初期設定画面を表示する。
【００２６】
第２の実施の形態によれば、デフォルト表示設定として任意の表示画面の設定ができることから、表示装置１６の使用頻度の高い画面レイアウトを初期画面として登録することにより、装置立ち上げ時などにオペレータがその都度画面設定を行う手間を省くことができ所望の画面が表示可能となる。
【００２７】
次に、本発明の第３の実施の形態を説明する。図５は本発明の第３の実施の形態に係わるプラント監視システムの構成図である。この第３の実施の形態は、図３に示した第２の実施の形態のプラント監視装置１０を複数用意し、システム画面要求情報記録手段２２と、システム画面要求情報テーブル２３と、システム画面表示要求手段２４とを設けて構成したものである。図５では２台のプラント監視装置１０Ａ、１０Ｂを設けた場合を示している。
【００２８】
システム画面要求情報記録手段２２は、オペレータのシステム画面記録要求ｆにより複数のプラント監視装置１０Ａ、１０Ｂ毎の画面要求情報テーブル１８にそれぞれ保存された画面要求情報ｅ（Ａ）、ｅ（Ｂ）を取り出し、ひとつにまとめてシステム画面要求情報ｓとしてシステム画面要求情報テーブル２３に保存するものである。そして、システム画面表示要求手段２４は、オペレータのシステム画面表示要求ｇによりシステム画面要求情報テーブル２３に保存されているシステム画面要求情報ｓを取り出し、該当するプラント監視装置１０Ａ、１０Ｂの画面要求表示手段１９に対して必要な表示画面レイアウトを再現するように表示要求をかける。これにより、画面要求情報ｅ（Ａ）、ｅ（Ｂ）に基づくひとつにまとめられた複数の画面がプラント監視装置１０Ａ、１０Ｂの表示装置１６に表示される。
【００２９】
このように、第３の実施の形態におけるプラント監視システムは、第１の実施の形態の複数台のプラント監視装置１０Ａ、１０Ｂを有し、システム画面要求情報記録手段２２は、オペレータからのシステム画面記録要求ｆにより各プラント監視装置１０Ａ、１０Ｂ毎の記録要求のあった画面要求情報ｅ（Ａ）、ｅ（Ｂ）をシステム共通のシステム画面要求情報テーブル２３としてまとめて保存する。また、システム画面表示要求手段２４は、保存されているシステム画面要求情報テーブル２３に基づき、各プラント監視装置１０Ａ、１０Ｂの画面要求表示手段１９に対して必要な表示画面レイアウトを再現するように表示要求をかける。
【００３０】
システム画面要求情報テーブル２３には、次のようにして各プラント監視装置１０Ａ、１０Ｂ毎の画面要求情報ｅ（Ａ）、ｅ（Ｂ）を保存する。プラント監視装置１０Ａにおいてオペレータからのシステム画面記録要求ｆがシステム画面要求情報記録手段２２に通知され、システム画面要求情報記録手段２２では、オペレータ要求のプラント監視装置１０Ａの画面要求情報ｅ（Ａ）と、プラント監視装置１０Ｂの画面構成情報ｅ（Ｂ）とをシステム画面要求情報テーブル２３に保存する。
【００３１】
図６はシステム画面要求情報テーブル２３の一例を示す説明図である。システム画面記録要求ｆの通知内容が、プラント監視装置１０Ａに記録されている画面要求情報ｅ（Ａ）（要求情報番号Ａ−０）と、プラント監視装置１０Ｂに記録されている画面要求情報ｅ（Ｂ）（要求情報番号Ｂ−１）の場合、これらを結合してシステム画面要求情報ｓ（システム画面要求情報番号Ｓ−１）としてシステム画面要求情報テーブル２３に保存する。
【００３２】
そして、オペレータからのシステム画面表示要求ｇがシステム画面表示要求手段２４に通知されると、システム画面表示要求手段２４はシステム画面表示要求ｇのシステム画面要求情報番号（Ｓ−１）をキーにシステム画面要求情報テーブル２３を検索し、記録したプラント監視装置１０Ａ、１０Ｂ毎の画面要求情報ｅ（Ａ）、ｅ（Ｂ）を抽出した後、プラント監視装置１０Ａ、１０Ｂの画面要求表示手段１９へプラント監視装置１０Ａ、１０Ｂ毎の画面要求情報ｅ（Ａ）、ｅ（Ｂ）を渡し、各表示装置１６毎に画面レイアウトを復元する。
【００３３】
第３の実施の形態によれば、複数のプラント監視装置１０Ａ、１０Ｂにて複数の機能を呼び出す際にひとつひとつの機能を表示要求することなく、まとめて表示させることができるので、操作回数の削減も可能となりオペレータの負荷軽減と操作性が向上される。
【００３４】
次に、本発明の第４の実施の形態を説明する。図７は本発明の第４の実施の形態に係わるプラント監視システムの構成図である。この第４の実施の形態は、図５に示した第３の実施の形態に対し、複数のプラント監視装置１０Ａ、１０Ｂの各々の画面要求情報テーブル１８に保存されている画面要求情報ｅ（Ａ）、ｅ（Ｂ）を相互に複写する画面要求情報複写手段２５を追加して設けたものである。図５と同一要素には同一符号を付し重複する説明は省略する。
【００３５】
画面要求情報複写手段２５はプラント監視装置１０Ａ、１０Ｂ毎に保存されている画面要求情報テーブル１８を参照し画面要求情報ｅ（Ａ）、ｅ（Ｂ）の複写を行う。図８は、プラント監視装置１０Ａの画面要求情報ｅ（Ａ）をプラント監視装置１０Ｂの画面要求情報テーブル１８に複写する場合の説明図である。例えば、プラント監視装置１０Ａで保存された画面情報ｅ（Ａ−１）をプラント監視装置１０Ｂで表示したい場合には、プラント監視装置１０Ａの表示画面要求情報ｅ（Ａ−１）を参照し、これをプラント監視装置１０Ｂの画面要求情報ｅ（Ｂ−ｘ）として保存する。プラント監視装置１０Ｂにて画面要求情報ｅ（Ｂ−ｘ）を選択し表示すると画面情報ｅ（Ａ−１）と同じ画面を表示することができる。これにより、あるプラント監視装置１０で保存した画面要求情報ｅを別の表示装置で表示することが可能となる。
【００３６】
第４の実施の形態によれば、他のプラント監視装置１０で記録した画面レイアウトを各プラント監視装置１０の表示装置１６で表示することが可能となり、情報の共有化と各プラント監視装置１０の表示装置１６への移動の手間を省くことができる。従って、オペレータの操作性向上と負荷軽減が実現できる。
【００３７】
次に、本発明の第５の実施の形態を説明する。図９は本発明の第５の実施の形態に係わるプラント監視システムの構成図である。この第５の実施の形態は、図７に示した第４の実施の形態に対し、システム画面表示要求手段に対しあらかじめ定義したプラント状態になったとき自動で表示要求を行わせるためのイベントを通知するイベント通知手段２６と、イベントとなるプラント状態を定義したイベントデータテーブル２７とを追加して設けたものである。図７と同一要素には同一符号を付し重複する説明は省略する。
【００３８】
イベントデータテーブル２７には、イベントに対応するシステム画面要求情報ｅｉが定義されており、イベント通知手段２６は、プラントがあるあらかじめ定義したイベント状態になったときに、そのイベントに対応するシステム画面要求情報ｅｉをシステム画面表示要求ｇｉとしてシステム画面表示要求手段２４に通知する。
【００３９】
イベント通知手段２６はプラント情報等がイベントデータテーブル２７であらかじめ定義されたイベント状態になると、システム画面表示要求手段２４へシステム画面表示要求ｇｉを通知する。図１０はイベントデータテーブル２７のテーブル構成の説明図である。イベントデータテーブル２７にはあらかじめ任意のイベントを定義することができ、例えばプロセス情報ａが規定値ａ以上かつプロセス情報ｂが規定値ｂ以下でイベント１とすると、これに対応するシステム画面要求情報ｅｉを定義する。システム画面要求情報ｅｉには各プラント監視装置１０Ａ、１０Ｂの表示装置１６の画面レイアウトを定義できる。
【００４０】
システム画面表示要求手段２４では、イベント通知手段２６により通知されるシステム画面要求情報ｅｉの内容により各プラント監視装置１０Ａ、１０Ｂの表示装置１６毎の画面レイアウトである画面要求情報ｅを渡す。図１０の一例では、プラント監視装置１０Ａに画面要求情報ｅ（Ａ）をプラント監視装置１０Ｂには画面要求情報ｅ（Ｂ）を渡すことになる。これにより、各プラント監視装置１０Ａ、１０Ｂの表示装置１６毎にイベントに対応した画面レイアウトを自動で表示することが可能となる。
【００４１】
以上の説明では、プラント状態に基づいてイベントが発生する場合について説明したが、イベントデータテーブル２７のイベント内容のその他の一例として、定刻になったら定例操作を行う等の時刻イベントを加えてもよい。
【００４２】
第５の実施の形態によれば、イベントの発生にて自動的にそのイベントに対応した形で各プラント監視装置１０Ａ、１０Ｂの表示装置１６のレイアウトを設定することができるので、オペレータが速やかにイベントに対応する操作に入ることができ、イベントデータの確実な採取などオペレータの支援を行うことができる。
【００４３】
次に、本発明の第６の実施の形態を説明する。図１１は本発明の第６の実施の形態に係わるプラント監視システムの構成図である。この第６の実施の形態は、図９に示した第５の実施の形態に対し、オペレータに対してイベントによる表示要求の自動割込みの発生を報知する自動割込発生通知手段２８を追加して設け、システム画面表示要求手段２４は、イベント通知手段２６からイベントの通知を受けたときは、複数のプラント監視装置１０Ａ、１０Ｂの各々の画面要求表示手段１９に画面レイアウト変更を通知するとともに、自動割込発生通知手段２８にイベントによる表示要求の自動割込みの発生を通知するようにしたものである。図９と同一要素には同一符号を付し重複する説明は省略する。
【００４４】
システム画面表示要求手段２４はイベント通知手段２６より通知されるシステム画面表示要求ｇｉにより各プラント監視装置１０Ａ、１０Ｂへイベントに対応する画面レイアウトである画面構成情報ｅを渡すとともに、自動割込発生通知手段２８へイベントによる自動割込みが発生したことを通知する。
【００４５】
図１２はシステム画面表示要求手段２４の処理内容を示すフローチャートである。システム画面表示要求ｇｉが通知された場合、イベントによるものか否かを判定する（Ｓ１）。イベント通知である場合には自動割込発生通知手段２８へ自動割込発生を通知し（Ｓ２）、次にシステム画面要求情報テーブル２３を検索する（Ｓ３）。この検索結果により得られた各プラント監視装置１０Ａ、１０Ｂの表示装置１６毎の画面レイアウトである画面要求情報ｅ（プラント監視装置１０Ａであれば画面要求情報ｅ（Ａ））を各プラント監視装置１０Ａ、１０Ｂの表示装置１６へ渡し各表示装置１６毎に表示する（Ｓ４〜Ｓｎ）。ステップＳ１の判定でイベントでないと判定した場合はステップＳ２をバイパスしてステップＳ３の処理に移行する。
【００４６】
これにより、イベント発生時には、自動割込発生通知手段２８により自動割込み発生がオペレータに通知されるとともに各プラント監視装置１０Ａ、１０Ｂの表示装置１６にイベントに対応した画面レイアウトが同時に表示される。イベント発生でなければ自動割込み発生通知はなく、オペレータによるシステム画面表示要求による画面表示となる。
【００４７】
第６の実施の形態によれば、オペレータがイベントの発生による自動割込みを容易に認識することができ、イベントに対応する操作を速やかに実施することが可能となる。
【００４８】
次に、本発明の第７の実施の形態を説明する。図１３は本発明の第７の実施の形態に係わるプラント監視システムの構成図である。この第７の実施の形態は、図１１に示した第６の実施の形態に対し、自動退避指令手段２９を追加して設けたものである。図９と同一要素には同一符号を付し重複する説明は省略する。
【００４９】
自動退避指令手段２９は、イベント発生による表示要求の自動割込みにて、各プラント監視装置１０Ａ、１０Ｂの表示装置１７が強制的に決められた画面レイアウトに変わる際に、それまでその表示装置１６に表示されていたレイアウトを自動的に画面登録するものであり、その自動退避指令ｈをプラント監視装置１０Ａ、１０Ｂの画面要求情報記録手段１７へ出力する。
【００５０】
プラント監視装置１０Ａ、１０Ｂの画面要求情報記録手段１７は、自動退避指令手段２９から自動退避指令ｈを入力したときは、自動退避画面要求情報をプラント監視装置１０Ａ、１０Ｂの画面要求情報テーブル１８に保存する。そして、プラント監視装置１０Ａ、１０Ｂの画面表示要求手段１９は、オペレータの要求があったときは自動退避画面要求情報を読込みイベント発生による自動割込み前の画面レイアウトを再現する。
【００５１】
図１４は自動退避指令手段２９からの自動退避指令ｈにより保存する画面要求情報ｅの一例を示す説明図である。例えばプラント監視装置１０Ａの画面に表示画面Ａ１−ｉ〜Ａ３−ｉの３画面が表示されていた場合、画面要求情報ｅｎ（画面要求情報番号Ａ−Ｎ）はプラント監視装置１０Ａに表示中の表示画面Ａ１−ｉ〜Ａ３−ｉと表示位置情報Ｐ１−ｉ〜Ｐ３−ｉの構成で保存される。
【００５２】
後にオペレータが任意の入力装置１３より保存されたレイアウトを再現要求すると自動退避画面要求信号ｒが各プラント監視装置１０Ａ，１０Ｂの画面要求表示手段１９に通知され、画面要求情報テーブル１８から退避した画面構成情報ｅｎを読み込み自動割込み前の画面レイアウトを再表示する。
【００５３】
第７の実施の形態によれば、あるプラント監視装置１０上にて対話操作をしている最中にイベント発生による自動割込みが発生し、作業が中断された場合でも必要に応じて容易にそれまでの操作画面レイアウトに戻すことができ、オペレータの負荷を軽減することができる。
【図面の簡単な説明】
【００５４】
【図１】本発明の第１の実施の形態に係わるプラント監視装置１０の構成図。
【図２】本発明の第１の実施の形態における画面要求情報テーブルの一例を示す説明図。
【図３】本発明の第２の実施の形態に係わるプラント監視装置の構成図。
【図４】本発明の第２の実施の形態における初期設定画面要求情報記録手段にて画面要求情報テーブルに保存される初期設定画面要求情報テーブルの一例を示す説明図。
【図５】本発明の第３の実施の形態に係わるプラント監視システムの構成図。
【図６】本発明の第３の実施の形態におけるシステム画面要求情報テーブルの一例を示す説明図。
【図７】本発明の第４の実施の形態に係わるプラント監視システムの構成図。
【図８】本発明の第４の実施の形態におけるプラント監視装置の画面要求情報を他のプラント監視装置の画面要求情報テーブルに複写する場合の説明図。
【図９】本発明の第５の実施の形態に係わるプラント監視システムの構成図。
【図１０】本発明の第５の実施の形態におけるイベントデータテーブルのテーブル構成の説明図。
【図１１】本発明の第６の実施の形態に係わるプラント監視システムの構成図。
【図１２】本発明の第６の実施の形態におけるシステム画面表示要求手段の処理内容を示すフローチャート。
【図１３】本発明の第７の実施の形態に係わるプラント監視システムの構成図。
【図１４】本発明の第７の実施の形態における自動退避指令手段からの自動退避指令の指令により保存する画面要求情報の一例を示す説明図。
【図１５】従来のプラント監視装置の構成図。
【符号の説明】
【００５５】
１０…プラント監視装置、１１…データ記録手段、１２…表示データテーブル、１３…入力装置、１４…オペレータ入出力処理手段、１５…画面情報テーブル、１６…表示装置、１７…画面要求情報記録手段、１８…画面要求情報テーブル、１９…画面要求表示手段、２０…初期設定画面要求情報記録手段、２１…初期設定画面要求表示手段、２２…システム画面要求情報記録手段、２３…システム画面要求情報テーブル、２４…システム画面表示要求手段、２５…画面要求情報複写手段、２６…イベント通知手段、２７…イベントデータテーブル、２８…自動割込発生通知手段、２９…自動退避指令手段
【図１】
2005259021.tif 000003
【図２】
2005259021.tif 000004
【図３】
2005259021.tif 000005
【図４】
2005259021.tif 000006
【図５】
2005259021.tif 000007
【図６】
2005259021.tif 000008
【図７】
2005259021.tif 000009
【図８】
2005259021.tif 000010
【図９】
2005259021.tif 000011
【図１０】
2005259021.tif 000012
【図１１】
2005259021.tif 000013
【図１２】
2005259021.tif 000014
【図１３】
2005259021.tif 000015
【図１４】
2005259021.tif 000016
【図１５】
2005259021.tif 000017